(57)【特許請求の範囲】
【請求項１】
一端に密閉端部が形成されるとともに、他端に打開端部が形成され、内部に第一の液体と第二の液体とが収容され、且つ前記密閉端部の近傍に打開機構が設けられた長尺状の管状ケーシングと、
前記長尺状の管状ケーシングの打開端部の近傍に配設され、該打開端部を密封する耐衝撃式プラグと、を備え、
粘性物質によって長尺状の管状ケーシングの内部の密閉端部側に収容した第一の液体と、打開端部側に収容した第二の液体とが隔離され、
耐衝撃式プラグの外周面と長尺状の管状ケーシングの内周面との間には第二の液体を収納する箇所より打開端部までガイド・ホールが形成され、
前記打開機構を打開して空気を長尺状の管状ケーシング内に導入することによって第一と第二の液体が前記ガイド・ホールを経由して長尺状の管状ケーシングの打開端部から放出させるように構成したことを特徴とする、
耐衝撃式塗布装置。
【請求項２】
耐衝撃式プラグのガイド・ホールは蝋製栓体によって封止され、且つ長尺状の管状ケーシングに外力を加えることによりガイド・ホールを開放できるように構成したことを特徴とする、請求項１に記載の耐衝撃式塗布装置。
【請求項３】
耐衝撃式プラグの外周面と長尺状の管状ケーシングの内周面との間の界面部分に形成されるガイド・ホールが、直線状の経路であることを特徴とする、請求項１に記載の耐衝撃式塗布装置。
【請求項４】
耐衝撃式プラグの外周面と長尺状の管状ケーシングの内周面との間の界面部分に形成されるガイド・ホールが、螺旋状の経路であることを特徴とする、請求項１に記載の耐衝撃式塗布装置。
【請求項５】
第二の液体と耐衝撃式プラグとの間に配置した第二の粘性物質によって第二の液体を隔離して第二の液体の揮発を防止したことを特徴とする、請求項１に記載の耐衝撃式塗布装置。
【請求項６】
一端に密閉端部が形成されるとともに、他端に打開端部が形成され、内部に複数種の液体と複数種の粘性物質とを交互に配置して収容し、且つ複数の位置に打開機構が設けられた長尺状の管状ケーシングと、
前記長尺状の管状ケーシングの打開端部の近傍に配設され、該打開端部を密封する耐衝撃式プラグと、を備え、
耐衝撃式プラグの外周面と長尺状の管状ケーシングの内周面との間には打開端部近傍より打開端部までガイド・ホールが形成され、
前記打開機構を打開して空気を長尺状の管状ケーシング内に導入することによって前記の液体が前記ガイド・ホールを経由して長尺状の管状ケーシングの打開端部から放出されるように構成したことを特徴とする、
不揮発性液体収納用耐衝撃式塗布装置。
【請求項７】
耐衝撃式プラグのガイド・ホールは蝋製栓体によって封止され、且つ長尺状の管状ケーシングに外力を加えることによりガイド・ホールを開放できるように構成したことを特徴とする、請求項６に記載の不揮発性液体収納用耐衝撃式塗布装置。
【請求項８】
耐衝撃式プラグの外周面と長尺状の管状ケーシングの内周面との間の界面部分に形成されるガイド・ホールが、直線状の経路であることを特徴とする、請求項６に記載の不揮発性液体収納用耐衝撃式塗布装置。
【請求項９】
耐衝撃式プラグの外周面と長尺状の管状ケーシングの内周面との間の界面部分に形成されるガイド・ホールが、螺旋状の経路であることを特徴とする、請求項６に記載の不揮発性液体収納用耐衝撃式塗布装置。
【請求項１０】
前記耐衝撃式プラグと液体との間に配置した粘性物質によって前記の液体を隔離して液体の揮発を防止したことを特徴とする、請求項６に記載の不揮発性液体収納用耐衝撃式塗布装置。
【請求項１１】
一端に密閉端部が形成されるとともに、他端に打開端部が形成され、内部に第一の液体と第二の液体とが収容され、且つ前記密閉端部の近傍に打開機構が設けられた長尺状の管状ケーシングを備え、
前記長尺状の管状ケーシングはその内径が密閉端部から打開端部へ漸次縮小するように先細りに形成されるとともに、第一と第二の液体が粘性物質によって隔離され、
前記打開機構を打開して空気を長尺状の管状ケーシング内に導入することによって前記の第一と第二の液体が長尺状の管状ケーシングの先細りになった打開端部より放出させるように構成したことを特徴とする、
不揮発性液体収納用耐衝撃式塗布装置。
【請求項１２】
前記長尺状の管状ケーシングの先細りになった打開端部は蝋製栓体によって封止され、且つ前記の長尺状の管状ケーシングに外力を加えることにより前記の先細りになった打開端部を開放できるように構成したことを特徴とする、請求項１１に記載の不揮発性液体収納用耐衝撃式塗布装置。
【請求項１３】
一端に密閉端部が形成されるとともに、他端に打開端部が形成され、内部に第一の液体と第二の液体とが収容され、且つ前記密閉端部の近傍に打開機構が設けられた長尺状の管状ケーシングと、
前記長尺状の管状ケーシングの打開端部の近傍に配設され、該打開端部を密封する耐衝撃式プラグと、を備え、
前記長尺状の管状ケーシングの内部の密閉端部側に収容した第一の液体と、打開端部側に収容した第二の液体の界面部の径を細くした小径部によって前記第一と第二の液体とが隔離され、
耐衝撃式プラグの外周面と長尺状の管状ケーシングの内周面との間には第二の液体を収納する箇所より打開端部までガイド・ホールが形成され、
前記打開機構を打開して長尺状の管状ケーシング内に空気を導入することによって第一と第二の液体が前記ガイド・ホールを経由して長尺状の管状ケーシングの打開端部から外方へ放出されるように構成したことを特徴とする、
不揮発性液体収納用耐衝撃式塗布装置。
【請求項１４】
耐衝撃式プラグのガイド・ホールは蝋製栓体によって封止され、且つ長尺状の管状ケーシングに外力を加えることによりガイド・ホールを開放できるように構成したことを特徴とする、請求項１３に記載の不揮発性液体収納用耐衝撃式塗布装置。
【請求項１５】
耐衝撃式プラグの外周面と長尺状の管状ケーシングの内周面との間の界面部分に形成されるガイド・ホールが、直線状の経路であることを特徴とする、請求項１３に記載の不揮発性液体収納用耐衝撃式塗布装置。
【請求項１６】
耐衝撃式プラグの外周面と長尺状の管状ケーシングの内周面との間の界面部分に形成されるガイド・ホールが、螺旋状の経路であることを特徴とする、請求項１３に記載の不揮発性液体収納用耐衝撃式塗布装置。
【請求項１７】
耐衝撃式プラグと第二の液体との間には第二の粘性物質が配置され、第二の粘性物質によって第二の液体と耐衝撃式プラグとを隔離することを特徴とする、請求項１３に記載の不揮発性液体収納用耐衝撃式塗布装置。
【発明の詳細な説明】
【技術分野】
【０００１】
本発明は、不揮発性液体収納用耐衝撃式塗布装置に係わり、特に耐衝撃機能を有するプラグを配設することによって、長尺状の管状のケーシングを地面に落下させてしまった場合に、その内部に充填した液体が滲み出すことがないようにした、不揮発性液体収納用耐衝撃式塗布装置に関するものである。
【背景技術】
【０００２】
ほうき式の塗布装置は、通常、管状の握持ロッドを有する。その両端部またはその一端には吸収性の先端部が形成されている。その吸収性の先端部としては綿や他の泡沫吸収性の物質からなるものを使用している。その先端部としてはブラシのようなものを使用してもよい。
また、前記した管状の握持ロッドとしては、木製や紙製やプラスチック製などの材料を使用でき、中実物または中空物などを好適に選択使用できる。
また、前記したほうき式の塗布装置の用途はかなり広範であり、便利で衛生的な道具である。複数種の物質は、例えば、液体や洗剤やクリームや他の各種の化学物品や薬剤などに応用できる。
【発明の開示】
【発明が解決しようとする課題】
【０００３】
本発明は、耐衝撃式プラグに小さいガイド・ホールを形成することによって液体の表面張力を強化し、収容した液体を長尺状の管状ケーシング外へ流れ難く形成した不揮発性液体収納用耐衝撃塗布装置を提供することを主要な目的とする。
【０００４】
また、本発明は、粘性物質の隔離作用を提供することによって、長尺状の管状ケーシング内にそれぞれ異なる種類の液体を収納可能に形成するとともに、それらの液体の揮発を防止可能な不揮発性液体収納用耐衝撃用塗布装置を提供することを第二の目的とする。
【課題を解決するための手段】
【０００５】
上記のような従来の課題を解決した本願の第１の発明は、耐衝撃式塗布装置において、一端に密閉端部が形成されるとともに、他端に打開端部が形成され、内部に第一の液体と第二の液体とが収容され、且つ前記密閉端部の近傍に打開機構が設けられた長尺状の管状ケーシングと、前記長尺状の管状ケーシングの打開端部の近傍に配設され、該打開端部を密封する耐衝撃式プラグと、を備え、粘性物質によって長尺状の管状ケーシングの内部の密閉端部側に収容した第一の液体と、打開端部側に収容した第二の液体とが隔離され、耐衝撃式プラグの外周面と長尺状の管状ケーシングの内周面との間には第二の液体を収納する箇所より打開端部までガイド・ホールが形成され、前記打開機構を打開して空気を長尺状の管状ケーシング内に導入することによって第一と第二の液体が前記ガイド・ホールを経由して長尺状の管状ケーシングの打開端部から放出させるように構成したことを特徴とする。
【０００６】
本願の第２の発明は、前記した第１の発明の耐衝撃式塗布装置において、耐衝撃式プラグのガイド・ホールは蝋製栓体によって封止され、且つ長尺状の管状ケーシングに外力を加えることによりガイド・ホールを開放できるように構成したことを特徴とする。
【０００７】
本願の第３の発明は、前記した第１の発明の耐衝撃式塗布装置において、耐衝撃式プラグの外周面と長尺状の管状ケーシングの内周面との間の界面部分に形成されるガイド・ホールが、直線状の経路であることを特徴とする前記第二の液体から前記の長尺状のケーシングの打開端部までは、直線以外の形状の経路であることを特徴とする。
【０００８】
本願の第４の発明は、前記した第１の発明の耐衝撃式塗布装置において、耐衝撃式プラグの外周面と長尺状の管状ケーシングの内周面との間の界面部分に形成されるガイド・ホールが、螺旋状の経路であることを特徴とする。
【０００９】
本願の第５の発明は、前記した第１の発明の耐衝撃式塗布装置において、第二の液体と耐衝撃式プラグとの間に配置した第二の粘性物質によって第二の液体を隔離して第二の液体の揮発を防止したことを特徴とする。
【００１０】
本願の第６の発明は、一端に密閉端部が形成されるとともに、他端に打開端部が形成され、内部に複数種の液体と複数種の粘性物質とを交互に配置して収容し、且つ複数の位置に打開機構が設けられた長尺状の管状ケーシングと、前記長尺状の管状ケーシングの打開端部の近傍に配設され、該打開端部を密封する耐衝撃式プラグと、を備え、耐衝撃式プラグの外周面と長尺状の管状ケーシングの内周面との間には打開端部近傍より打開端部までガイド・ホールが形成され、前記打開機構を打開して空気を長尺状の管状ケーシング内に導入することによって前記の液体が前記ガイド・ホールを経由して長尺状の管状ケーシングの打開端部から放出されるように構成したことを特徴とする。
【００１１】
本願の第７の発明は、前記した第６の発明の不揮発性液体収納用耐衝撃式塗布装置において、耐衝撃式プラグのガイド・ホールは蝋製栓体によって封止され、且つ長尺状の管状ケーシングに外力を加えることによりガイド・ホールを開放できるように構成したことを特徴とする。
【００１２】
本願の第８の発明は、前記した第６の発明の不揮発性液体収納用耐衝撃式塗布装置において、耐衝撃式プラグの外周面と長尺状の管状ケーシングの内周面との間の界面部分に形成されるガイド・ホールが、直線状の経路であることを特徴とする。
【００１３】
本願の第９の発明は、前記した第６の発明の不揮発性液体収納用耐衝撃式塗布装置において、耐衝撃式プラグの外周面と長尺状の管状ケーシングの内周面との間の界面部分に形成されるガイド・ホールが、螺旋状の経路であることを特徴とする。
【００１４】
本願の第１０の発明は、前記した第６の発明の不揮発性液体収納用耐衝撃式塗布装置において、前記耐衝撃式プラグと液体との間に配置した粘性物質によって前記の液体を隔離して液体の揮発を防止したことを特徴とする。
【００１５】
本願の第１１の発明は、一端に密閉端部が形成されるとともに、他端に打開端部が形成され、内部に第一の液体と第二の液体とが収容され、且つ前記密閉端部の近傍に打開機構が設けられた長尺状の管状ケーシングを備え、前記長尺状の管状ケーシングはその内径が密閉端部から打開端部へ漸次縮小するように先細りに形成されるとともに、第一と第二の液体が粘性物質によって隔離され、前記打開機構を打開して空気を長尺状の管状ケーシング内に導入することによって前記の第一と第二の液体が長尺状の管状ケーシングの先細りになった打開端部より放出させるように構成したことを特徴とする。
【００１６】
本願の第１２の発明は、前記した第１１の発明の不揮発性液体収納用耐衝撃式塗布装置において、前記長尺状の管状ケーシングの先細りになった打開端部は蝋製栓体によって封止され、且つ前記の長尺状の管状ケーシングに外力を加えることにより前記の先細りになった打開端部を開放できるように構成したことを特徴とする。
【００１７】
本願の第１３の発明は、一端に密閉端部が形成されるとともに、他端に打開端部が形成され、内部に第一の液体と第二の液体とが収容され、且つ前記密閉端部の近傍に打開機構が設けられた長尺状の管状ケーシングと、前記長尺状の管状ケーシングの打開端部の近傍に配設され、該打開端部を密封する耐衝撃式プラグと、を備え、前記長尺状の管状ケーシングの内部の密閉端部側に収容した第一の液体と、打開端部側に収容した第二の液体の界面部の径を細くした小径部によって前記第一と第二の液体とが隔離され、耐衝撃式プラグの外周面と長尺状の管状ケーシングの内周面との間には第二の液体を収納する箇所より打開端部までガイド・ホールが形成され、前記打開機構を打開して長尺状の管状ケーシング内に空気を導入することによって第一と第二の液体が前記ガイド・ホールを経由して長尺状の管状ケーシングの打開端部から外方へ放出されるように構成したことを特徴とする。
【００１８】
本願の第１４の発明は、前記した第１３の発明の不揮発性液体収納用耐衝撃式塗布装置において、耐衝撃式プラグのガイド・ホールは蝋製栓体によって封止され、且つ長尺状の管状ケーシングに外力を加えることによりガイド・ホールを開放できるように構成したことを特徴とする。
【００１９】
本願の第１５の発明は、前記した第１３の発明の不揮発性液体収納用耐衝撃式塗布装置において、耐衝撃式プラグの外周面と長尺状の管状ケーシングの内周面との間の界面部分に形成されるガイド・ホールが、直線状の経路であることを特徴とする。
【００２０】
本願の第１６の発明は、前記した第１３の発明の不揮発性液体収納用耐衝撃式塗布装置において、耐衝撃式プラグの外周面と長尺状の管状ケーシングの内周面との間の界面部分に形成されるガイド・ホールが、螺旋状の経路であることを特徴とする。
【００２１】
本願の第１７の発明は、前記した第１３の発明の不揮発性液体収納用耐衝撃式塗布装置において、耐衝撃式プラグと第二の液体との間には第二の粘性物質が配置され、第二の粘性物質によって第二の液体と耐衝撃式プラグとを隔離することを特徴とする。
【００２２】
本発明は、一種の不揮発性液体収納用耐衝撃式塗布装置を提供し、そのものには、長尺状の管状ケーシングを有し、当該長尺状の管状ケーシングの一端が密閉され、且つある粘性物質を介してその内部に収容した第一の液体と第二の液体が隔離される。第一の液体は前記密閉端部側に収容される。
また、長尺状の管状ケーシングは、その密閉端部の近傍に打開機構を有し、打開機構を打開した場合に、内部に収容した第一と第二の液体を放出させることができる。
また、耐衝撃式プラグが長尺状の管状ケーシングの内部に配設され、且つ前記の打開端部に近接し、且つ前記の第二の液体の保存箇所より前記の長尺状の管状ケーシングの打開端部まで液体を導通するための小さいガイド・ホールが設けられる。
耐衝撃式プラグの外径は丁度長尺状の管状のケーシングの打開端部の内径と等しい。
そのため、前記の耐衝撃式プラグによってその打開端部を密閉する場合に、第二の液体の打開端部と耐衝撃式プラグの小さいガイド・ホールの表面張力を増加できる。使用の際に粗忽して地面に落下させた場合に長尺状の管状ケーシングが衝撃を受けるため、不揮発性の第二の液体が長尺状の管状ケーシングより流れ出ることを防止できる。
もし、第二の液体が揮発性液体に属する場合には、前記の第二の液体と耐衝撃式プラグとの間に他の粘性物質を配設することによって前記の第二の液体が揮発してしまうことを効果的に防止できる。
【発明の効果】
【００２３】
本発明の提供する不揮発性液体収納用耐衝撃式塗布装置と他の従来技術と比較する場合では、さらに下記のような優れた点を有することが分かる。
（１）本発明は、耐衝撃式プラグにおける小さいガイド・ホールを介して液体の表面張力を拡大することによって長尺状の管状ケーシングが粗忽して地面に落下される場合に、その液体が長尺状の管状ケーシングより滲み出ることが発生しがたいようにするものである。
（２）本発明は、粘性物質によって液体を隔離するものであり、長尺状の管状ケーシングの中には各種の液体を収納でき、且つそれらの液体の揮発することを効果的に防止できる。
【００２４】
本発明の内容とその技術効果とその目的をさらに詳しく開示するために、以下に添付図面を参照しながら、本発明の優れる実施の形態を詳細的で具体的に説明する。
【発明を実施するための最良の形態】
【００２５】
図１においては、本発明の第一の実施の形態を示している。
この実施の形態においては、不揮発性液体収納用耐衝撃式塗布装置には、ほうき式の塗布装置を具備し、そのものには、密閉端部２を有する長尺状の管状ケーシング１を有し、且つその長尺状の管状のケーシング１の内方に第一と第二の液体３，４を包む。それらの第一と第二の液体３，４が粘性物質５を介して隔離され、前記の第一の液体３が前記の長尺状の管状ケーシングの密閉端部２近傍に配設されている。
また、前記の長尺状の管状ケーシング１には、前記の密閉端部２の近傍に配設される打開機構６を有し、包まれる第一と第二の液体３，４を長尺状の管状ケーシング１の他の打開端部８の塗布装置７の先端部へ放出する。
また、その粘性物質５としてはシリカゲルや他の物質を好適に使用でき、この種の粘性物質が二種類の液体３，４を隔離できる。前記の打開機構６が打開されて大気圧力を前記の長尺状の管状ケーシング１の密閉端部近傍に導入する場合には、その第一の液体３を前記の粘性物質５を経過させることができる。
また、前記の打開機構６としては簡単に線条の描きものや、小径の断面部や他の適当な打開手段などを好適に採用でき、打開時に、空気を前記の長尺状の管状ケーシング１の密閉端部２へ流れ込ませることができる。
【００２６】
また、耐衝撃式プラグ９が前記の長尺状の管状ケーシング１の打開端部近傍に配設され、且つ第二の液体４より塗布装置の先端部７まで小さいガイド・ホール１０を形成し、図２に示すようである。
そのガイド・ホール１０として前記の長尺状の管状ケーシング１に形成される、その内径部に近接する直線状のガイド・ホールまたは螺旋状のガイド・ホールを好適に採用できる。
また、その耐衝撃式プラグ９の長さとガイド・ホール１０の径を選択設定することによってそれらの第一と第二の液体３，４の長尺状管状ケーシング１より流れ出る流動率を制御できる。
【００２７】
前記の打開機構６が前記の長尺状の管状ケーシング１内に大気を導入し、第一と第二の液体３，４を塗布装置の先端部７へ放出する場合に、液体３，４に濡れられる塗布装置７の先端部が任意の表面に対し塗布を実行することができる。
その塗布装置７の先端部としては任意の吸収性材料、例えば、綿やスポンジなどからなるものを好適に使用でき、ブラシの状態に作ってもよい。
【００２８】
前記の耐衝撃式プラグ９の外径が前記の長尺状の管状ケーシング１の打開端部８の内径とほぼ等しくなっており、そのことによって第二液体４の打開端部８と耐衝撃式プラグのガイド・ホール１０における表面張力を増加し、使用時に粗忽に扱って地面に落下して長尺状の管状ケーシング１が衝撃を受けた場合に、不揮発性の第二の液体４が長尺状の管状ケーシング１より流出することを防止できる。
【００２９】
もし、前記の第二の液体１１が揮発性液体に属する場合では、図３に示すように、その第二の液体１１と前記の耐衝撃式のプラグ９との間に他の粘性物質１２を充填することによって、第二の液体１１が蒸発してしまうことを防止するようにしてもよい。
【００３０】
また、耐衝撃式のプラグ９に形成された小さいガイド・ホール１０に対し、長尺状の管状ケーシング１を湾曲または圧縮することによって、強引に打開されることができる蝋製栓体によって密封してもよい。
他に、前記の長尺状の管状ケーシング１の打開端部８についても他の種の蓋のよってカバーしてもよい。
【００３１】
図４は、不揮発性液体収納用耐衝撃式塗布装置の第三の実施の形態であり、本例は、複数種の液体３，１３，１６，１９と粘性物質５，１５，１８とを交替に前記の長尺状の管状ケーシング１内に配設するものであり、打開機構６，１４，１７，２０がそれぞれの液体の打開端部８に対し最も遠い端部に配設されている。
この実施の形態においては、選択的に複数種の組合せの液体を塗布装置７の先端部へ供給できる。または選択的にそれぞれ異なる量の同一の種類の液体を塗布装置７の先端部へ供給することができる。
【００３２】
図５は、本発明の不揮発性液体収納用耐衝撃式塗布装置の第四の実施の形態である。本例は、前記の長尺状の管状ケーシング２１の内径が密閉端部２２より打開端部２８まで漸次的に縮小され、且つ粘性物質２５を介して第一の液体２３と第二の液体２４とを隔離する。
また、その長尺状の管状ケーシング２１には、その密閉端部２２に近接する打開機構２６が配設され、そのものによって包まれる液体２３，２４を長尺状の管状ケーシング２１の他の打開端部２８に付着される塗布装置２７の先端部へ放出する。
この実施の形態においては、分離の機能を実現するための耐衝撃式のプラグを使用する必要はない。
また、前記の長尺状の管状ケーシング２１が大幅にその内径を縮小し、耐衝撃式プラグとしての機能を発揮でき、粗忽に扱って地面に落下した場合に起こる破壊性を小さく抑制することができ、長尺状の管状ケーシング２１内の打開端部２８に近接する箇所の第二液体２４の表面張力を大幅に増加し、液体２４が衝撃を受けた場合に、長尺状の管状ケーシング２１の外方へ放出しにくくすることができるほか、前記の打開端部２８に対しては、前記の長尺状の管状ケーシング２１を湾曲または圧縮することによって強引に打開可能な蝋製栓体により密封してもよい。
【００３３】
図６は、不揮発性液体収納用耐衝撃式塗布装置の第五の実施の形態である。本例は、前記の長尺状の管状ケーシング２９のある端部が密閉端部３０に設定され、且つその密閉端部３０近傍に打開機構３４が設けられ、且つ長尺状の管状ケーシング２９内の第一と第二の液体３１，３２が両者の間に介在される粘性物質によって隔離されるものではなく、長尺状の管状ケーシング２９の内部の二つの液体３１，３２の界面における小径部３３によってそれらの第一と第二の液体３１，３２を隔離するものである。
この小径部３３の仕様については、それらの第一と第二の液体３１，３２の界面の表面張力自身によって第一と第二の液体３１，３２の隔離を保持できるように設定すればよい。
特に第一の液体３１が水液性のものに対し、第二の液体３２が油液性のものを使用する場合が好適に採用できる。
【００３４】
前記の説明においては既に多くの特徴を包含しているが、それらによって本発明の範囲を狭義的に局限するものではなく、それらは単に本発明の一部の実施可能な実施例に過ぎなく、本発明の範囲については、添付の特許請求の範囲に記載されるそれぞれの技術内容に従って定義すべきことが言うまでもないことである。
【図面の簡単な説明】
【００３５】
【図１】本発明の不揮発性液体収納用耐衝撃式塗布装置の第一の実施の形態を示す説明図である。
【図２】耐衝撃式プラグを示す拡大図である。
【図３】本発明の不揮発性液体収納用耐衝撃式塗布装置の第二の実施の形態を示す説明図である。
【図４】本発明の不揮発性液体収納用耐衝撃式塗布装置の第三の実施の形態を示す説明図である。
【図５】本発明の不揮発性液体収納用耐衝撃式塗布装置の第四の実施の形態を示す説明図である。
【図６】本発明の不揮発性液体収納用耐衝撃式塗布装置の第五の実施の形態を示す説明図である。
【符号の説明】
【００３６】
１  長尺状の管状ケーシング
２  密閉端（部）
３  第一の液体
４  第二の液体
５  粘性物質
６  打開機構
７  塗布装置先端部
８  打開端部
９  耐衝撃式プラグ
１０  ガイド・ホール
１１  第二の液体
１２  粘性物質
１３  液体
１４  打開機構
１５  粘性物質
１６  液体
１７  打開機構
１８  粘性物質
１９  液体
２０  打開機構
２１  長尺状の管状ケーシング
２２  密閉端部
２３  第一の液体
２４  第二の液体
２５  粘性物質
２６  打開機構
２７  塗布装置
２８  打開端部
２９  長尺状の管状ケーシング
３０  密閉端部
３１  第一の液体
３２  第二の液体
３３  内径部
３４  打開機構
【図１】
0004070757.tif 000002
【図２】
0004070757.tif 000003
【図３】
0004070757.tif 000004
【図４】
0004070757.tif 000005
【図５】
0004070757.tif 000006
【図６】
0004070757.tif 000007